(57)【要約】      （修正有）【課題】遊技機の扉部を閉めるときに、錠の操作が不適切でも、扉部の開閉に支障をきたさない遊技機を提供する。【解決手段】遊技機は、互いに連携して筐体に対して扉部をロックするロック部及びロック受け部を備える。遊技機は、扉部に設けられる錠を備える。遊技機は、扉部が筐体に対して閉状態の場合に錠が操作されることにより第１回転位置から第２回転位置まで回転することによりロック部を動かして、ロック部がロック受け部にロックされた状態からロックされていない状態にし、かつ扉部が筐体に対して開状態で、第２回転位置又は第２回転位置より更に第１回転位置と反対側に回転した第３回転位置にある場合に、ロック部がロック受け部に対してロックされてない状態からロックされた状態になることを阻止するカム部３１０を備える。【選択図】図８
2018051221.tif 000002
【特許請求の範囲】
【請求項１】
開口を有する筐体と、
前記開口を開閉可能に前記筐体に連結される扉部と、
互いに連携して前記筐体に対して前記扉部をロックするロック部及びロック受け部と、
前記扉部に設けられる錠と、
前記扉部が前記筐体に対して閉状態の場合に前記錠が操作されることにより第１回転位置から第２回転位置まで回転することにより前記ロック部を動かして、前記ロック部が前記ロック受け部にロックされた状態からロックされていない状態にし、かつ前記扉部が前記筐体に対して開状態で、前記第２回転位置又は前記第２回転位置より更に第１回転位置と反対側に回転した第３回転位置にある場合に、前記ロック部が前記ロック受け部に対してロックされてない状態からロックされた状態になることを阻止するカム部と
を備える、遊技機。
【請求項２】
前記ロック受け部は、前記扉部に設けられ、
前記ロック部は、前記筐体に設けられる、請求項１に記載の遊技機。
【請求項３】
前記ロック受け部は、ロックシャフトを有し、
前記ロック部は、前記ロックシャフトに係合するロック爪、及び前記カム部からの力を受けて第１移動位置から第２移動位置まで移動することで前記ロック爪に前記力を伝達して、前記ロック爪が前記ロックシャフトに係合した状態から係合していない状態にするロック解除プレートを有する、請求項２に記載の遊技機。
【請求項４】
前記カム部は、前記ロック解除プレートに力を伝達するアーム部を有し、
前記アーム部が、前記扉部が前記筐体に対して開状態で、前記第２回転位置又は前記第３回転位置にある場合に、前記ロック部が前記ロック受け部に対してロックされてない状態からロックされた状態になることを阻止する、請求項３に記載の遊技機。
【請求項５】
前記筐体は、第１係止部を有し、
前記ロック解除プレートは、前記筐体に第１弾性体を介して移動可能に設けられ、前記第１移動位置にある場合に、前記第１係止部に係止される第２係止部を有し、
前記ロック解除プレートは、前記カム部からの前記力を受けて前記第１係止部と前記第２係止部との係止を解除するように移動し、前記第１係止部と前記第２係止部との係止が解除されると、前記第１弾性体の弾性力により、前記第２移動位置まで移動し、
前記ロック解除プレートは、前記第２移動位置にある場合、前記カム部が前記第２回転位置又は前記第３回転位置にある場合に前記アーム部に接触しない、請求項４に記載の遊技機。
【請求項６】
前記扉部に移動可能に設けられ、前記扉部が閉状態から開状態に移動することに応じて前記カム部が前記第１回転位置から前記第２回転位置又は前記第３回転位置に回転することを阻止する阻止位置に移動し、前記扉部が開状態から閉状態に移動することに応じて、前記カム部が前記第１回転位置から前記第２回転位置に回転することを阻止しない第１待避位置に移動するストッパを更に備える、請求項４又は５に記載の遊技機。
【請求項７】
前記扉部が前記筐体に対して開状態で、前記ストッパが前記第１待避位置にあり、前記カム部が第２回転位置又は前記第３回転位置にあり、前記ロック解除プレートが前記第１移動位置にある場合に、前記カム部が、前記ロック部が前記ロック受け部に対してロックされてない状態からロックされた状態になることを阻止することで、前記アーム部が前記ストッパと前記ロック解除プレートとの間に挟まれることを防止する、
請求項６に記載の遊技機。
【請求項８】
前記ストッパは、第２弾性体を介して前記扉部に移動可能に設けられ、前記扉部が開状態から閉状態に移動することに応じて、前記筐体の一部に押されることにより前記第１待避位置まで移動し、前記扉部が閉状態から開状態に移動することに応じて、前記第２弾性体の弾性力により、前記阻止位置まで移動し、
前記ストッパは、前記扉部が閉状態にある場合に、前記カム部が回転することを阻止しない第２待避位置まで移動可能である、請求項６又は７に記載の遊技機。
【請求項９】
前記扉部は、閉状態の場合に、前記ストッパが前記第２待避位置まで移動可能な待避空間を有する、請求項８に記載の遊技機。
【請求項１０】
開口を有する筐体と、
前記開口を開閉可能に前記筐体に連結される扉部と、
互いに連携して前記筐体に対して前記扉部をロックするロック部及びロック受け部と、
前記扉部に設けられる錠と、
前記錠が操作されることにより第１回転位置から第２回転位置まで回転することにより前記ロック部を動かして、前記ロック部が前記ロック受け部にロックされた状態からロックされていない状態にするカム部と
を備え、
前記ロック受け部は、前記扉部に設けられ、
前記ロック部は、前記筐体に設けられ、
前記ロック受け部は、ロックシャフトを有し、
前記ロック部は、前記ロックシャフトに係合するロック爪、及び前記カム部からの力を受けて第１移動位置から第２移動位置まで移動することで前記ロック爪に前記力を伝達して、前記ロック爪が前記ロックシャフトに係合した状態から係合していない状態にするロック解除プレートを有し、
前記カム部は、前記ロック解除プレートに力を伝達するアーム部を有し、
前記ロック解除プレートは、前記第２移動位置にある場合、前記カム部が前記第２回転位置又は前記第２回転位置より更に第１回転位置と反対側に回転した第３回転位置にある場合に前記アーム部に接触しない、遊技機。
【請求項１１】
前記筐体は、第１係止部を有し、
前記ロック解除プレートは、前記筐体に第１弾性体を介して移動可能に設けられ、前記第１移動位置にある場合に、前記第１係止部に係止される第２係止部を有し、
前記ロック解除プレートは、前記カム部からの前記力を受けて前記第１係止部と前記第２係止部との係止を解除するように移動し、前記第１係止部と前記第２係止部との係止が解除されると、前記第１弾性体の弾性力により、前記第２移動位置まで移動する、請求項１０に記載の遊技機。
【請求項１２】
前記扉部に移動可能に設けられ、前記扉部が閉状態から開状態に移動することに応じて前記カム部が前記第１回転位置から前記第２回転位置又は前記第３回転位置に回転することを阻止する阻止位置に移動し、前記扉部が開状態から閉状態に移動することに応じて、前記カム部が前記第１回転位置から前記第２回転位置に回転することを阻止しない第１待避位置に移動するストッパを更に備え、
前記ストッパは、前記扉部が閉状態にある場合に、前記カム部が回転することを阻止しない第２待避位置まで移動可能である、請求項１０又は１１に記載の遊技機。
【請求項１３】
開口を有する筐体と、
前記開口を開閉可能に前記筐体に連結される扉部と、
互いに連携して前記筐体に対して前記扉部をロックするロック部及びロック受け部と、
前記扉部に設けられる錠と、
前記錠が操作されることにより第１回転位置から第２回転位置まで回転することにより前記ロック部を動かして、前記ロック部が前記ロック受け部にロックされた状態からロックされていない状態にするカム部と、
前記扉部に移動可能に設けられ、前記扉部が閉状態から開状態に移動することに応じて前記カム部が前記第１回転位置から前記第２回転位置又は前記第２回転位置から更に前記第１回転位置と反対側に回転した第３回転位置に回転することを阻止する阻止位置に移動し、前記扉部が開状態から閉状態に移動することに応じて、前記カム部が前記第１回転位置から前記第２回転位置に回転することを阻止しない第１待避位置に移動するストッパと
を備え、
前記ストッパは、前記扉部が閉状態にある場合に、前記カム部が回転することを阻止しない第２待避位置まで移動可能である、遊技機。
【請求項１４】
前記扉部は、閉状態の場合に、前記ストッパが前記第２待避位置まで移動可能な待避空間を有する、請求項１３に記載の遊技機。
【請求項１５】
前記ストッパは、第２弾性体を介して前記扉部に移動可能に設けられ、前記扉部が開状態から閉状態に移動することに応じて、前記筐体の一部に押されて、前記第１待避位置まで移動し、前記扉部が閉状態から開状態に移動することに応じて、前記第２弾性体の弾性力により、前記阻止位置まで移動する、請求項１３又は１４に記載の遊技機。
【発明の詳細な説明】
【技術分野】
【０００１】
本発明は、遊技機に関する。
【背景技術】
【０００２】
特許文献１及び特許文献２に示されているように、遊技機などに用いられる錠付きの筐体が知られている。
特許文献１  特開２００９−１８３３５０号公報
特許文献２  特開２０１３−２３３３５３号公報
【発明の概要】
【発明が解決しようとする課題】
【０００３】
上記のような遊技機の扉部を閉めるときに、錠の操作が不適切で、扉部の開閉に支障をきたす場合がある。
【課題を解決するための手段】
【０００４】
本発明の一態様に係る遊技機は、開口を有する筐体を備える。遊技機は、開口を開閉可能に筐体に連結される扉部を備える。遊技機は、互いに連携して筐体に対して扉部をロックするロック部及びロック受け部を備える。遊技機は、扉部に設けられる錠を備える。遊技機は、扉部が筐体に対して閉状態の場合に錠が操作されることにより第１回転位置から第２回転位置まで回転することによりロック部を動かして、ロック部がロック受け部にロックされた状態からロックされていない状態にし、かつ扉部が筐体に対して開状態で、第２回転位置又は第２回転位置より更に第１回転位置と反対側に回転した第３回転位置にある場合に、ロック部がロック受け部に対してロックされてない状態からロックされた状態になることを阻止するカム部を備える。
【０００５】
ロック受け部は、扉部に設けられてよい。ロック部は、筐体に設けられてよい。
【０００６】
ロック受け部は、ロックシャフトを有してよい。ロック部は、ロックシャフトに係合するロック爪を有してよい。ロック部は、カム部からの力を受けて第１移動位置から第２移動位置まで移動することでロック爪に力を伝達して、ロック爪がロックシャフトに係合した状態から係合していない状態にするロック解除プレートを有してよい。
【０００７】
カム部は、ロック解除プレートに力を伝達するアーム部を有してよい。アーム部が、扉部が筐体に対して開状態で、第２回転位置又は第３回転位置にある場合に、ロック部がロック受け部に対してロックされてない状態からロックされた状態になることを阻止してよい。
【０００８】
筐体は、第１係止部を有してよい。ロック解除プレートは、筐体に第１弾性体を介して移動可能に設けられ、第１移動位置にある場合に、第１係止部に係止される第２係止部を有してよい。ロック解除プレートは、カム部からの力を受けて第１係止部と第２係止部との係止を解除するように移動し、第１係止部と第２係止部との係止が解除されると、第１弾性体の弾性力により、第２移動位置まで移動してよい。ロック解除プレートは、第２移動位置にある場合、カム部が第２回転位置又は第３回転位置にある場合にアーム部に接触しなくてよい。
【０００９】
遊技機は、扉部に移動可能に設けられ、扉部が閉状態から開状態に移動することに応じてカム部が第１回転位置から第２回転位置又は第３回転位置に回転することを阻止する阻止位置に移動し、扉部が開状態から閉状態に移動することに応じて、カム部が第１回転位置から第２回転位置に回転することを阻止しない第１待避位置に移動するストッパを更に備えてよい。
【００１０】
扉部が筐体に対して開状態で、ストッパが第１待避位置にあり、カム部が第２回転位置又は第３回転位置にあり、ロック解除プレートが第１移動位置にある場合に、カム部が、ロック部がロック受け部に対してロックされてない状態からロックされた状態になることを阻止することで、アーム部がストッパとロック解除プレートとの間に挟まれることを防止してよい。
【００１１】
ストッパは、第２弾性体を介して扉部に移動可能に設けられ、扉部が開状態から閉状態に移動することに応じて、筐体の一部に押されることにより第１待避位置まで移動し、扉部が閉状態から開状態に移動することに応じて、第２弾性体の弾性力により、阻止位置まで移動してよい。ストッパは、扉部が閉状態にある場合に、カム部が回転することを阻止しない第２待避位置まで移動可能でよい。
【００１２】
扉部は、閉状態の場合に、ストッパが第２待避位置まで移動可能な待避空間を有してよい。
【００１３】
本発明の一態様に係る遊技機は、開口を有する筐体を備える。遊技機は、開口を開閉可能に筐体に連結される扉部を備える。遊技機は、互いに連携して筐体に対して扉部をロックするロック部及びロック受け部を備える。遊技機は、扉部に設けられる錠を備える。遊技機は、錠が操作されることにより第１回転位置から第２回転位置まで回転することによりロック部を動かして、ロック部がロック受け部にロックされた状態からロックされていない状態にするカム部を備える。ロック受け部は、扉部に設けられる。ロック部は、筐体に設けられる。ロック受け部は、ロックシャフトを有する。ロック部は、ロックシャフトに係合するロック爪を有する。ロック部は、カム部からの力を受けて第１移動位置から第２移動位置まで移動することでロック爪に力を伝達して、ロック爪がロックシャフトに係合した状態から係合していない状態にするロック解除プレートを有する。カム部は、ロック解除プレートに力を伝達するアーム部を有する。ロック解除プレートは、第２移動位置にある場合、カム部が第２回転位置又は第２回転位置より更に第１回転位置と反対側に回転した第３回転位置にある場合にアーム部に接触しない。
【００１４】
筐体は、第１係止部を有してよい。ロック解除プレートは、筐体に第１弾性体を介して移動可能に設けられ、第１移動位置にある場合に、第１係止部に係止される第２係止部を有してよい。ロック解除プレートは、カム部からの力を受けて第１係止部と第２係止部との係止を解除するように移動し、第１係止部と第２係止部との係止が解除されると、第１弾性体の弾性力により、第２移動位置まで移動してよい。
【００１５】
遊技機は、扉部に移動可能に設けられ、扉部が閉状態から開状態に移動することに応じてカム部が第１回転位置から第２回転位置又は第３回転位置に回転することを阻止する阻止位置に移動し、扉部が開状態から閉状態に移動することに応じて、カム部が第１回転位置から第２回転位置に回転することを阻止しない第１待避位置に移動するストッパを更に備えてよい。ストッパは、扉部が閉状態にある場合に、カム部が回転することを阻止しない第２待避位置まで移動可能でよい。
【００１６】
本発明の一態様に係る遊技機は、開口を有する筐体を備える。遊技機は、開口を開閉可能に筐体に連結される扉部を備える。遊技機は、互いに連携して筐体に対して扉部をロックするロック部及びロック受け部を備える。遊技機は、扉部に設けられる錠を備える。遊技機は、錠が操作されることにより第１回転位置から第２回転位置まで回転することによりロック部を動かして、ロック部がロック受け部にロックされた状態からロックされていない状態にするカム部を備える。遊技機は、扉部に移動可能に設けられ、扉部が閉状態から開状態に移動することに応じてカム部が第１回転位置から第２回転位置又は第２回転位置から更に第１回転位置と反対側に回転した第３回転位置に回転することを阻止する阻止位置に移動し、扉部が開状態から閉状態に移動することに応じて、カム部が第１回転位置から第２回転位置に回転することを阻止しない第１待避位置に移動するストッパを備える。ストッパは、扉部が閉状態にある場合に、カム部が回転することを阻止しない第２待避位置まで移動可能である。
【００１７】
扉部は、閉状態の場合に、ストッパが第２待避位置まで移動可能な待避空間を有してよい。
【００１８】
ストッパは、第２弾性体を介して扉部に移動可能に設けられ、扉部が開状態から閉状態に移動することに応じて、筐体の一部に押されて、第１待避位置まで移動し、扉部が閉状態から開状態に移動することに応じて、第２弾性体の弾性力により、阻止位置まで移動してよい。
【００１９】
上記の発明の概要は、本発明の特徴の全てを列挙したものではない。これらの特徴群のサブコンビネーションも発明となりうる。
【図面の簡単な説明】
【００２０】
【図１】本実施形態に係る遊技機の外観の一例を示す斜視図である。
【図２】遊技機の扉部を開いた状態の一例を示す図である。
【図３】ロック部及びロック受け部の外観の一例を示す斜視図である。
【図４】ロック部及びロック受け部の動きを説明するための図である。
【図５】ロック部及びロック受け部の動きを説明するための図である。
【図６】カム部の回転範囲について説明するための図である。
【図７】ロック解除プレートとストッパとの間にカム部が挟まれた状態を示す図である。
【図８】カム部が有するアーム部の一例を示す図である。
【図９】ロック解除プレートの第２移動位置について説明するための図である。
【図１０】ストッパの第２待避位置について説明するための図である。
【図１１】阻止部を含む機能ブロック図である。
【図１２】制御部による阻止部の制御手順の一例を示すフローチャートである。
【発明を実施するための形態】
【００２１】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【００２２】
図１は、本実施形態に係る遊技機１０の外観の一例を示す斜視図である。遊技機１０は、筐体１００、扉部２００、及び錠３００を備える。遊技機１０は、パチンコ機、パチスロ機など遊技媒体を利用した遊技を行う機器である。
【００２３】
図２は、遊技機１０の扉部２００を開いた状態の一例を示す図である。筐体１００は、開口１０２を有する。遊技機１０は、筐体１００と扉部２００との開閉を制御するロック部１１０及びロック受け部２１０を備える。筐体１００は、内部に遊技に関する制御を行う基板を収容してよい。遊技機１０がパチスロ機であれば、筐体１００は、例えば、複数の円筒状の回胴部を収容してよい。遊技機１０がパチンコ機であれば、筐体１００は、例えば、遊技媒体の遊技領域を提供する遊技盤を収容してよい。
【００２４】
扉部２００は、開口１０２を開閉可能に筐体１００に連結される。扉部２００は、筐体１００の一方の側部に少なくとも１つのヒンジを介して連結されてよい。ロック部１１０及びロック受け部２１０は、互いに連携して筐体１００に対して扉部２００をロックする。ロック部１１０は、筐体１００の他方の側部に設けられてよい。ロック受け部２１０は、扉部２００の側部に設けられる。ロック受け部２１０は、扉部２００が筐体１００に対して閉状態のときに、ロック部１１０に対向する位置に設けられる。
【００２５】
本実施形態では、ロック部１１０が筐体１００に設けられ、ロック受け部２１０が扉部２００に設けられる例について説明する。このような構成にすることで、扉部２００に設けられるロック機構の部品を減少させることができ、扉部２００のスペースを有効に活用することができる。よって、扉部２００の軽量化を図ることができる。しかし、本実施形態で示されるロック機構は、ロック部１１０が扉部２００に設けられ、ロック受け部２１０が筐体１００に設けられた遊技機にも適用可能である。
【００２６】
図３は、ロック部１１０及びロック受け部２１０の外観の一例を示す斜視図である。図４及び図５は、ロック部１１０及びロック受け部２１０の動きを説明するための図である。ロック部１１０は、筐体側竿１１２、ロック解除プレート１１４、及びロック爪１１６を有する。ロック受け部２１０は、扉側竿２１２、ストッパ２１４、ロックシャフト２１６、フラグプレート２２２を有する。
【００２７】
扉側竿２１２は、長尺状の部材であり、扉部２００の一側部に固定されている。扉側竿２１２には、錠３００が固定されている。錠３００は、外筒及び内筒を有するシリンダ錠でよい。錠３００は、出力軸３０２を有する。出力軸３０２は、内筒に固定され、内筒の回転に応じて軸回転する。出力軸３０２には、カム部３１０が固定されている。鍵４００が錠３００の鍵穴に挿入された状態で、回動されると、内筒と共に出力軸３０２が回転し、カム部３１０も回転する。鍵穴に挿入された鍵４００を利用して錠３００が操作されることで、カム部３１０は、鍵穴に鍵４００が挿入可能な基準回転位置である第１回転位置から少なくとも一方の回転方向に第２回転位置、第２回転位置から更に第１回転位置とは反対側に回転した第３回転位置まで回転可能である。カム部３１０は、扉部２００が筐体１００に対して閉状態の場合に錠３００が操作されることにより第１回転位置から第２回転位置まで回転することによりロック部１１０を動かして、ロック部１１０がロック受け部２１０にロックされた状態からロックされていない状態にする。
【００２８】
ロックシャフト２１６は、扉側竿２１２に固定されている。ストッパ２１４は、移動可能に扉側竿２１２に設けられている。ストッパ２１４は、ピン２１５を中心に回転可能に扉側竿２１２に固定されてよい。ストッパ２１４は、カム部３１０から遠ざかる方向に扉側竿２１２の短手方向に平行移動可能に、扉側竿２１２に設けられてよい。ストッパ２１４は、バネを介して扉側竿２１２に連結されてよい。バネは、第２弾性体の一例である。ストッパ２１４は、扉部２００が閉状態から開状態に移動することに応じてカム部３１０が第１回転位置から第２回転位置又は第３回転位置に回転することを阻止する阻止位置に移動する。ストッパ２１４は、扉部２００が開状態から閉状態に移動することに応じて、カム部３１０が第１回転位置から第２回転位置に回転することを阻止しない第１待避位置に移動する。ストッパ２１４は、扉部２００が開状態から閉状態に移動することに応じて、筐体１００の一部に押されることにより第１待避位置まで移動する。ストッパ２１４は、扉部２００が閉状態から開状態に移動することに応じて、バネの弾性力により、阻止位置まで移動してよい。図３は、ストッパ２１４が阻止位置にある状態の一例を示す。図５は、ストッパ２１４が第１待避位置にある状態の一例を示す。
【００２９】
筐体側竿１１２は、長尺状の部材であり、筐体１００に固定されている。ロック解除プレート１１４は、ロック爪１１６を介して筐体側竿１１２の長手方向に移動可能に筐体側竿１１２に設けられている。ロック解除プレート１１４は、カム部３１０からの力を受けて第１移動位置から第２移動位置まで移動することでロック爪１１６に力を伝達して、ロック爪１１６がロックシャフト２１６に係合した状態から係合していない状態にする。ロック爪１１６は、ピン１２１を中心に回転可能に筐体側竿１１２にピン１２１を介して連結されている。ロック爪１１６が回転することに応じて、ロック解除プレート１１４は、筐体側竿１１２の長手方向に摺動する。例えばロック爪１１６は、ロック解除プレート１１４側に突出するピンを有する。ロック解除プレート１１４は、ピンに対向する位置にガイド溝を有する。ロック爪１１６が回転することに応じて、ピンがガイド溝に沿って移動し、ロック解除プレート１１４が筐体側竿１１２の長手方向に摺動する。ロック解除プレート１１４は、ロック部１１０がロック受け部２１０にロックされていない状態である第２移動位置から、ロック部１１０がロック受け部２１０にロックされた状態である第１移動位置に移動する。
【００３０】
筐体側竿１１２のロック解除プレート１１４側の側面には、保持突起部１１３が設けられている。ロック解除プレート１１４には、ロック解除プレート１１４が第１移動位置にあるときに保持突起部１１３が嵌る位置に保持孔１１５が形成されている。ロックシャフト２１６がロック爪１１６に係合され、保持突起部１１３が保持孔１１５に嵌ることで、ロック部１１０がロック受け部２１０に対してロックされた状態になる。保持突起部１１３は、第１係止部の一例である。保持孔１１５は、第２係止部の一例である。
【００３１】
扉側竿２１２には、扉部２００が開状態か閉状態かを検出する開閉状態検出センサ３０が設けられている。開閉状態検出センサ３０は、例えば、ボタンセンサにより構成されてよい。更に、扉側竿２１２には、カム部３１０の回転位置を検出する回転位置検出センサ４０が設けられている。ロック受け部２１０は、フラグ２２０が設けられたフラグプレート２２２を更に有する。フラグプレート２２２は、扉側竿２１２の長手方向に摺動可能に設けられる。フラグプレート２２２は、カム部３１０に係合し、カム部３１０の回転に応じて扉側竿２１２の長手方向に摺動する。回転位置検出センサ４０は、赤外線発光部と、赤外線受光部とを有してよい。回転位置検出センサ４０は、赤外線発光部から発光された赤外線がフラグ２２０により遮光されずに赤外線受光部で受光されているか否かで、カム部３１０の回転位置を検出してよい。回転位置検出センサ４０は、赤外線発光部から発光された赤外線がフラグ２２０により遮光されずに赤外線受光部で受光されているか否かで、カム部３１０が、第１回転位置にあるか否かを検出してよい。
【００３２】
図４を参照して、扉部２００が筐体１００に対して開状態から閉状態に移動する場合のロック部１１０及びロック受け部２１０の動きを更に説明する。
【００３３】
扉部２００が筐体１００に対して開状態から閉状態に移動することに応じて、ロック爪１１６がロックシャフト２１６からの力を受けて回転することで、ロックシャフト２１６と係合した状態になる。ロックシャフト２１６は、ロック爪１１６の切り欠きの一側面１１７に当接しながら、矢印２５０の方向に移動する。ロック爪１１６は、ロックシャフト２１６に押されて、矢印２５２の方向に回転し、ロックシャフト２１６はロック爪１１６の切り欠きに係合される。
【００３４】
ロック爪１１６は、ロック爪付勢バネ１１９を介して筐体側竿１１２に連結されている。ロック爪付勢バネ１１９は、第１弾性体の一例である。ロック爪１１６は、矢印２５２の方向に回転すると、ロック爪付勢バネ１１９が伸張した状態になる。ロック爪１１６が回転することに応じて、ロック爪１１６に設けられたピンが、ロック解除プレート１１４に設けられたガイド溝に沿って移動して、ロック解除プレート１１４が矢印２５４の方向に移動する。ロック解除プレート１１４は、ロック部１１０がロック受け部２１０にロックされていない状態である第２移動位置から、ロック部１１０がロック受け部２１０にロックされた状態である第１移動位置に移動する。ロック解除プレート１１４が第１移動位置にある場合、保持突起部１１３が保持孔１１５に嵌っている。保持突起部１１３が保持孔１１５から外れると、ロック爪付勢バネ１１９の弾性力により、ロック解除プレート１１４は、第１移動位置から第２移動位置に移動する。ロック解除プレート１１４は、カム部３１０からの力を受けて保持突起部１１３と保持孔１１５との係止を解除するように移動し、保持突起部１１３と保持孔１１５との係止が解除されると、ロック爪付勢バネ１１９の弾性力により、第２移動位置まで移動する。
【００３５】
図５を参照して、扉部２００が筐体１００に対して閉状態から開状態に移動する場合のロック部１１０及びロック受け部２１０の動きを説明する。鍵４００が矢印２５６で示す回転方向に回転すると、カム部３１０は矢印２５８の方向に回転して、第１回転位置から第２回転位置に移動する。カム部３１０は、ロック解除プレート１１４に力を伝達するアーム部３２０を有する。カム部３１０が回転することに応じて、アーム部３２０が、ロック解除プレート１１４のカム当接部１２０に接触して、ロック解除プレート１１４を斜め下方向に押す。これにより、保持孔１１５から保持突起部１１３が外れ、ロック爪１１６がロック爪付勢バネ１１９の弾性力により矢印２６０の方向に回転する。これにより、ロックシャフト２１６とロック爪１１６との係合が解除される。ロック爪１１６の回転に応じて、ロック爪１１６のピンがロック解除プレート１１４のガイド溝に沿って移動して、ロック解除プレート１１４が、矢印２５８の方向に移動する。つまり、ロック解除プレート１１４は、第１移動位置から第２移動位置に移動する。これにより、ロック部１１０がロック受け部２１０にロックされた状態からロックされていない状態になる。
【００３６】
図６は、カム部３１０の回転範囲について説明するための図である。カム部３１０は、第１回転位置（Ａ）から、第２回転位置（Ｂ）まで回転できれば、アーム部３２０がロック解除プレート１１４のカム当接部１２０を斜め下方向に押して、保持突起部１１３を保持孔１１５から外すことができる。しかし、ロック部１１０とロック受け部２１０との位置関係は、機器毎にばらつきがある。このばらつきを考慮して、カム部３１０は、第２回転位置（Ｂ）から第１回転位置（Ａ）とは反対側に更に回転した第３回転位置（Ｃ）まで回転できるように設計されることが好ましい。これにより、ロック部１１０とロック受け部２１０との位置関係にずれが生じている場合でも、アーム部３２０がロック解除プレート１１４のカム当接部１２０に接触して、保持突起部１１３を保持孔１１５から確実に外すことができる。
【００３７】
ところで、筐体１００が開状態の場合、通常は、ストッパ２１４が阻止位置にあるので、カム部３１０は第１回転位置に留まり、第２回転位置あるいは第３回転位置まで回転できない。しかし、筐体１００が開状態のときに、ユーザがストッパ２１４を指で押すなどの外的要因で、ストッパ２１４が第１待避位置に移動してしまう場合がある。この場合、筐体１００が開状態にもかかわらず、カム部３１０が第２回転位置あるいは第３回転位置まで回転してしまう。そして、カム部３１０が第２回転位置あるいは第３回転位置にある状態で、筐体１００が開状態から閉状態となると、図７に示すように、カム部３１０のアーム部３２０が、ロック解除プレート１１４のカム当接部１２０とストッパ２１４との間に挟み込まれる場合がある。このような状態では、カム部３１０は回転することができず、ロック解除プレート１１４を斜め下方に押し下げることができない場合がある。つまり、ロック部１１０がロック受け部２１０にロックされた状態を解除できない場合がある。
【００３８】
そこで、本実施形態では、上記のようなカム部３１０の挟み込みを防止すべく、カム部３１０が第２回転位置又は第３回転位置にあるときに、ロック部１１０がロック受け部２１０にロックされることを防止する。扉部２００が筐体１００に対して開状態で、ストッパ２１４が第１待避位置にあり、カム部３１０が第２回転位置又は第３回転位置にあり、ロック解除プレート１１４が第１移動位置にある場合に、カム部３１０が、ロック部１１０がロック受け部２１０に対してロックされてない状態からロックされた状態になることを阻止することで、アーム部３２０がストッパ２１４とロック解除プレート１１４との間に挟まれることを防止する。
【００３９】
より具体的には、図８に示すように、カム部３１０のアーム部３２０を延長する。これにより、カム部３１０が第２回転位置又は第３回転位置にある場合、アーム部３２０が扉側竿２１２の外側に突出する。この状態で、筐体１００を閉めようとしても、アーム部３２０が障壁となり、ロック受け部２１０がロック部１１０の方向に移動できない。つまり、アーム部３２０が障壁となり、ロック部１１０がロック受け部２１０にロックされない。これにより、カム部３１０は、扉部２００が筐体１００に対して開状態で、第２回転位置又は第３回転位置にある場合に、ロック部１１０がロック受け部２１０に対してロックされてない状態からロックされた状態になることを阻止する。アーム部３２０が、扉部２００が筐体１００に対して開状態で、カム部３１０が第２回転位置又は第３回転位置にある場合に、ロック部１１０がロック受け部２１０に対してロックされてない状態からロックされた状態になることを阻止する。これにより、カム部３１０の挟み込みを防止できる。
【００４０】
また、ロック部１１０がロック受け部２１０にロックされていない状態で、カム部３１０が第２回転位置又は第３回転位置にある場合にロック解除プレート１１４がアーム部３２０に接触しないように、ロック解除プレート１１４の第２移動位置を設定してよい。ロック部１１０がロック受け部２１０にロックされていないときに、ロック解除プレート１１４が待機している位置である第２移動位置を、カム部３１０の回転範囲を考慮して、カム部３１０の回転位置にかかわらずロック解除プレート１１４がカム部３１０に接触しない位置に設定してよい。ロック解除プレート１１４の第２移動位置を、カム部３１０が第２回転位置又は第３回転位置にある場合にアーム部３２０が接触する下限位置より予め定められた距離だけ更に下方の位置に設定してよい。例えば、図９に示すように、ロック解除プレート１１４の第２移動位置を、カム部３１０が第２回転位置又は第３回転位置にある場合にアーム部３２０が接触する下限位置２６２より距離Ｄだけ更に下方の位置２６４に設定する。これにより、カム部３１０が第２回転位置又は第３回転位置にあるときに、扉部２００が閉められた場合、カム部３１０がたとえ第２回転位置又は第３回転位置にある場合でも、カム当接部１２０の側面にアーム部３２０が接触しない。よって、カム部３１０が第２回転位置又は第３回転位置にあるときに、扉部２００が閉められても、カム部３１０がストッパ２１４とロック解除プレート１１４との間に挟み込まれることを防止できる。
【００４１】
更に、カム部３１０がストッパ２１４とロック解除プレート１１４との間に挟み込まれても、ストッパ２１４がカム部３１０と反対側に更に待避可能に設計されてよい。ストッパ２１４は、扉部２００が閉状態にある場合に、カム部３１０が回転することを阻止しない第２待避位置まで移動可能でよい。扉部２００は、閉状態の場合に、ストッパ２１４が第２待避位置まで移動可能な待避空間を有してよい。例えば、図１０に示すように、ストッパ２１４が、第１待避位置２６６より更にカム部３１０から遠ざかる第２待避位置２６８まで移動可能でよい。扉部２００は、扉側竿２１２の内部空間に、ストッパ２１４が第１待避位置２６６より更にカム部３１０から遠ざかる第２待避位置２６８まで移動可能な待避空間２１３を有してよい。これにより、カム部３１０がストッパ２１４とロック解除プレート１１４との間に位置しても、ストッパ２１４はカム部３１０から遠ざかる方向に移動可能なので、カム部３１０は回転可能である。よって、カム部３１０がストッパ２１４とロック解除プレート１１４との間に挟み込まれることを防止できる。
【００４２】
また、遊技機１０は、カム部３１０が第１回転位置にない場合に、扉部２００が閉まらないようにする阻止部を更に備えてもよい。阻止部は、回転位置検出センサ４０によりカム部３１０が第１回転位置にないと検出された場合、ロック部１１０がロック受け部２１０に対してロックされてない状態からロックされた状態になることを阻止する。阻止部は、扉部２００が閉状態の位置に移動するのを阻止することで、ロック部１１０がロック受け部２１０に対してロックされてない状態からロックされた状態になることを阻止してよい。阻止部は、回転位置検出センサ４０によりカム部３１０が第１回転位置にないと検出された場合に筐体１００と扉部２００との間に突出して、扉部２００が閉状態の位置に移動することを阻止してよい。阻止部は、ソレノイドにより構成してよい。例えば、阻止部は、可動鉄心と、可動鉄心を囲むコイルとを有してよい。回転位置検出センサ４０によりカム部３１０が第１回転位置にないと検出された場合に、可動鉄心を筐体１００と扉部２００との間に突出させる。これにより、扉部２００が閉状態の位置に移動することを阻止して、ロック部１１０がロック受け部２１０に対してロックされてない状態からロックされた状態になることを阻止してよい。阻止部は、例えば、筐体１００と扉部２００とを連結するヒンジ付近に設けられてよい。阻止部は、ロック部１１０がロック受け部２１０に対してロックされてない状態からロックされた状態になることを阻止することができれば任意の機構で構成されてよい。阻止部は、筐体１００と扉部２００とを連結するヒンジの回転を阻止する機構、ロック爪１１６の回転を阻止する機構などにより構成されてよい。
【００４３】
図１１は、阻止部を含む機能ブロック図である。遊技機１０は、制御部２０、開閉状態検出センサ３０、回転位置検出センサ４０、及び阻止部５０を備える。開閉状態検出センサ３０は、扉部２００が開状態か閉状態かを検出する。回転位置検出センサ４０は、カム部３１０が第１回転位置にあるか否かを検出する。制御部２０は、開閉状態検出センサ３０及び回転位置検出センサ４０の検出結果に基づいて、阻止部５０を制御する。阻止部５０は、回転位置検出センサ４０によりカム部３１０が第１回転位置にないと検出された場合、ロック部１１０がロック受け部２１０に対してロックされてない状態からロックされた状態になることを阻止する。阻止部５０は、回転位置検出センサ４０によりカム部３１０が第１回転位置にないと検出され、かつ開閉状態検出センサ３０により扉部２００が筐体１００に対して開状態であると検出された場合、ロック部１１０がロック受け部２１０に対してロックされてない状態からロックされた状態になることを阻止する。
【００４４】
図１２は、制御部２０による阻止部５０の制御手順の一例を示すフローチャートである。制御部２０は、開閉状態検出センサ３０からの検出結果に基づいて、扉部２００が開状態か否かを判定する（Ｓ１００）。扉部２００が開状態であれば、制御部２０は、回転位置検出センサ４０からの検出結果に基づいて、カム部３１０が第１回転位置にあるか否かを判定する（Ｓ１０２）。カム部３１０が第１回転位置にある場合、制御部２０は、阻止部５０が、扉部２００が閉まるのを許可する許可位置にあるか否かを判定する（Ｓ１０４）。制御部２０は、阻止部５０が扉部２００と筐体１００との間に突出しているか否かを判定する。許可位置になければ、制御部２０は、阻止部５０を制御して、阻止部５０を許可位置に移動させる（Ｓ１０６）。これにより、扉部２００は、筐体１００に対して閉状態になることができる。つまり、ロック部１１０がロック受け部２１０に対してロックされてない状態からロックされた状態になることができる。
【００４５】
一方、カム部３１０が第１回転位置にない場合、制御部２０は、阻止部５０が、扉部２００が閉まらないようにする阻止位置にあるか否かを判定する（Ｓ１０８）。阻止部５０が阻止位置になければ、制御部２０は阻止部５０を制御して、阻止部５０を阻止位置まで移動させる。例えば、制御部２０は、阻止部５０を扉部２００と筐体１００との間に突出させる。これにより、扉部２００は、筐体１００に対して閉状態になることを阻止する。つまり、ロック部１１０がロック受け部２１０に対してロックされてない状態からロックされた状態になることを阻止する。
【００４６】
これにより、カム部３１０が第１回転位置にあるとき以外は、ロック部１１０はロック受け部２１０にロックされない。よって、カム部３１０がストッパ２１４とロック解除プレート１１４との間に挟み込まれることを防止できる。
【００４７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００４８】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００４９】
１０  遊技機
２０  制御部
３０  開閉状態検出センサ
４０  回転位置検出センサ
５０  阻止部
１００  筐体
１０２  開口
１１０  ロック部
１１２  筐体側竿
１１３  保持突起部
１１４  ロック解除プレート
１１５  保持孔
１１６  ロック爪
１１９  ロック爪付勢バネ
１２０  カム当接部
１２１  ピン
２００  扉部
２１０  ロック受け部
２１２  扉側竿
２１３  待避空間
２１４  ストッパ
２１５  ピン
２１６  ロックシャフト
２２０  フラグ
２２２  フラグプレート
２６８  待避位置
３００  錠
３０２  出力軸
３１０  カム部
３２０  アーム部
４００  鍵
【図１】
2018051221.tif 000003
【図２】
2018051221.tif 000004
【図３】
2018051221.tif 000005
【図４】
2018051221.tif 000006
【図５】
2018051221.tif 000007
【図６】
2018051221.tif 000008
【図７】
2018051221.tif 000009
【図８】
2018051221.tif 000010
【図９】
2018051221.tif 000011
【図１０】
2018051221.tif 000012
【図１１】
2018051221.tif 000013
【図１２】
2018051221.tif 000014